(57)【要約】一実施形態においては、ワイドエリアセルラネットワーク（ＷＡＣＮ）帯域および無線アクセスネットワーク帯域（例えば、ＧＡＮ帯域および／またはＵＭＡ帯域）で動作可能なユーザ設備（ＵＥ）デバイスについて、ジェネリックアクセスネットワーク（ＧＡＮ）選択を達成するために、スキームが提供される。ネットワークノード（例えば、ＧＡＮコントローラ（ＧＡＮＣ）またはＵＭＡネットワークコントローラ（ＵＮＣ））は、サービス要求およびＵＥデバイスによって集められたネットワーク情報を解決するロジックを装備する。それに基づき、適切なＵＮＣ／ＧＡＮＣのリストが、選択のためにＵＥデバイスに提供され、該ＵＮＣ／ＧＡＮＣは、ＵＥデバイスについて識別された１つ以上のワイドエリアセルラネットワークで動作可能である。
2008522460.tif 000002
【特許請求の範囲】
【請求項１】
ネットワーク選択方法であって、該方法は、
少なくとも１つの帯域における走査を介し、ユーザ設備（ＵＥ）デバイスによってネットワーク情報を集めることと、
該ネットワーク情報のうちの少なくとも１つおよび一式のサービス要求を、該ＵＥデバイスによってネットワークノードに送信することと、
該ＵＥデバイスについて、識別された複数のワイドエリアセルラネットワークで動作可能なジェネリックアクセスネットワークコントローラ（ＧＡＮＣ）の適切なリストを決定するために、該ネットワーク情報および該一式のサービス要求を、該ネットワークノードによって解決することであって、該ＧＡＮＣのリストは、該ＵＥデバイスによる選択に対する応答メッセージを介し該ＵＥに送信される、ことと
を包含する、方法。
【請求項２】
前記ワイドエリアセルラネットワークは、ジェネラルパケットラジオサービス（ＧＰＲＳ）ネットワーク、エンハンストデータレートフォーグローバルシステムフォーモバイルコミュニケーション（ＧＳＭ）エボルーション（ＥＤＧＥ）ネットワーク、第３世代パートナーシッププロジェクト（３ＧＰＰ）準拠ネットワーク、インテグレーテッドデジタルエンハンストネットワーク（ＩＤＥＮ）、コードディビジョンマルチプルアクセス（ＣＤＭＡ）ネットワーク、ユニバーサルモバイルテレコミュニケーションシステム（ＵＭＴＳ）ネットワーク、およびユニバーサルテレストリアルラジオアクセスネットワーク（ＵＴＲＡＮ）のうちの少なくとも１つを含む、請求項１に記載のネットワーク選択方法。
【請求項３】
前記ＧＡＮＣの各々は、対応するユニフォームリソースロケータ（ＵＲＬ）で識別される、請求項１に記載のネットワーク選択方法。
【請求項４】
前記ＧＡＮＣの各々は、対応するインターネットプロトコル（ＩＰ）アドレスで識別される、請求項１に記載のネットワーク選択方法。
【請求項５】
前記ネットワーク情報は、登録されたワイドエリアセルラネットワークのセルグローバルアイデンティフィケーション（ＣＧＩ）情報、利用可能なワイドエリアセルラネットワークに関するＣＧＩ情報、すべての前の登録失敗の原因値、少なくとも１つの利用可能なワイドエリアセルラネットワークのブロードキャストコントロールチャネル（ＢＣＣＨ）情報、および少なくとも１つの利用可能なワイドエリアセルラネットワークのパケットコントロールチャネル（ＰＣＣＨ）情報のうちの少なくとも１つを含む、請求項１に記載のネットワーク選択方法。
【請求項６】
前記サービス要求は、音声だけのサービス、データだけのサービス、音声とデータとのサービス、ＧＡＮサービス、ハンドオーバーサービス、前記ＵＥデバイスと関連したコーリングプラン、および該ＵＥデバイスと関連したロケーションエリア情報のうちの少なくとも１つを含む、請求項１に記載のネットワーク選択方法。
【請求項７】
前記ネットワークノードは、前記ＵＥデバイスと関連したデフォルトＧＡＮＣを備える、請求項１に記載のネットワーク選択方法。
【請求項８】
前記ネットワークノードは、前記ＵＥデバイスと関連したホームネットワークＧＡＮＣを備える、請求項１に記載のネットワーク選択方法。
【請求項９】
前記ネットワークノードは、前記ＵＥデバイスと関連した暫定ＧＡＮＣを備える、請求項１に記載のネットワーク選択方法。
【請求項１０】
前記ネットワーク情報のうちの少なくとも１つおよび前記一式のサービス要求は、ジェネリックアクセス−リソースコントロール（ＧＡ−ＲＣ）ＲＥＧＩＳＴＥＲ  ＲＥＱＵＥＳＴメッセージを介して、前記ＵＥデバイスによって送信される、請求項１に記載のネットワーク選択方法。
【請求項１１】
前記応答メッセージは、ＧＡ−ＲＣ  ＲＥＧＩＳＴＥＲ  ＲＥＱＵＥＳＴメッセージを含む、請求項１０に記載のネットワーク選択方法。
【請求項１２】
ネットワーク選択システムであって、該システムは、
少なくとも１つの帯域における走査を介しネットワーク情報を集めるユーザ設備（ＵＥ）デバイスと関連した手段と、
該ネットワーク情報のうちの少なくとも１つおよび一式のサービス要求をネットワークノードに送信する該ＵＥデバイスと関連した手段と、
該ＵＥデバイスについて、識別された複数のワイドエリアセルラネットワークで動作可能な適切なジェネリックアクセスネットワークコントローラ（ＧＡＮＣ）のリストを決定するために、該ネットワーク情報および該一式のサービス要求を解決する該ネットワークノードと関連した手段と
を備え、
該ＧＡＮＣのリストは、該ＵＥデバイスによる選択に対する応答メッセージを介し、該ＵＥに送信される、ネットワーク選択システム。
【請求項１３】
前記ワイドエリアセルラネットワークは、ジェネラルパケットラジオサービス（ＧＰＲＳ）ネットワーク、エンハンストデータレートフォーグローバルシステムフォーモバイルコミュニケーション（ＧＳＭ）エボルーション（ＥＤＧＥ）ネットワーク、第３世代パートナーシッププロジェクト（３ＧＰＰ）準拠ネットワーク、インテグレーテッドデジタルエンハンストネットワーク（ＩＤＥＮ）、コードディビジョンマルチプルアクセス（ＣＤＭＡ）ネットワーク、ユニバーサルモバイルテレコミュニケーションシステム（ＵＭＴＳ）ネットワーク、およびユニバーサルテレストリアルラジオアクセスネットワーク（ＵＴＲＡＮ）のうちの少なくとも１つを備える、請求項１２に記載のネットワーク選択システム。
【請求項１４】
前記ＧＡＮＣの各々は、対応するユニフォームリソースロケータ（ＵＲＬ）で識別される、請求項１２に記載のネットワーク選択システム。
【請求項１５】
前記ＧＡＮＣの各々は、対応するインターネットプロトコル（ＩＰ）アドレスで識別される、請求項１２に記載のネットワーク選択システム。
【請求項１６】
前記ネットワーク情報は、登録されたワイドエリアセルラネットワークのセルグローバルアイデンティフィケーション（ＣＧＩ）情報、利用可能なワイドエリアセルラネットワークに関するＣＧＩ情報、すべての前の登録失敗の原因値、少なくとも１つの利用可能なワイドエリアセルラネットワークのブロードキャストコントロールチャネル（ＢＣＣＨ）情報、および少なくとも１つの利用可能なワイドエリアセルラネットワークのパケットコントロールチャネル（ＰＣＣＨ）情報のうちの少なくとも１つを含む、請求項１２に記載のネットワーク選択システム。
【請求項１７】
前記サービス要求は、音声だけのサービス、データだけのサービス、音声とデータとのサービス、ＧＡＮサービス、ハンドオーバーサービス、前記ＵＥデバイスと関連したコーリングプラン、および該ＵＥデバイスと関連したロケーションエリア情報のうちの少なくとも１つを含む、請求項１２に記載のネットワーク選択システム。
【請求項１８】
前記ネットワークノードは、前記ＵＥデバイスと関連したデフォルトＧＡＮＣを備える、請求項１２に記載のネットワーク選択システム。
【請求項１９】
前記ネットワークノードは、前記ＵＥデバイスと関連したホームネットワークＧＡＮＣを備える、請求項１２に記載のネットワーク選択システム。
【請求項２０】
前記ネットワークノードは、前記ＵＥデバイスと関連した暫定ＧＡＮＣを備える、請求項１２に記載のネットワーク選択システム。
【請求項２１】
前記ネットワーク情報のうちの少なくとも１つおよび前記一式のサービス要求は、ジェネリックアクセス−リソースコントロール（ＧＡ−ＲＣ）ＲＥＧＩＳＴＥＲ  ＲＥＱＵＥＳＴメッセージを介して、前記ＵＥデバイスによって送信される、請求項１２に記載のネットワーク選択システム。
【請求項２２】
前記応答メッセージは、ＧＡ−ＲＣ  ＲＥＧＩＳＴＥＲ  ＲＥＱＵＥＳＴメッセージを含む、請求項２１に記載のネットワーク選択システム。
【請求項２３】
ユーザ設備（ＵＥ）デバイスであって、該ＵＥデバイスは、
該ＵＥデバイスを動作させることに関する一式の適切なサービス要求の識別を容易とするためのロジックモジュールと、
少なくとも１つの帯域における走査を介しネットワーク情報を集め、該ネットワーク情報のうちの少なくとも１つおよび該サービス要求をネットワークノードに送信するための通信サブシステムと、
該ネットワークノードによって提供された一式のＧＡＮＣから、ジェネリックアクセスネットワークコントローラ（ＧＡＮＣ）を選択するためのロジックモジュールであって、該ＧＡＮＣのリストは、該ネットワーク情報および該サービス要求をネットワークノードによって解決することに基づき決定され、該ＧＡＮＣのリストは、該ＵＥデバイスによる選択に対する応答メッセージを介し、該ＵＥデバイスに送信される、ＧＡＮＣを選択するためのロジックモジュールと
を備える、ＵＥデバイス。  
【請求項２４】
前記ＧＡＮＣは、該ＵＥデバイスについて、識別されたワイドエリアセルラネットワーク（ＷＡＣＮ）に対する接続性を提供する一式のＧＡＮＣに対応するユニフォームリソースロケータ（ＵＲＬ）で識別される、請求項２３に記載のＵＥデバイス。
【請求項２５】
前記ＧＡＮＣは、前記ＵＥデバイスについて、識別されたワイドエリアセルラネットワーク（ＷＡＣＮ）に対する接続性を提供する一式のＧＡＮＣに対応する、インターネットプロトコル（ＩＰ）アドレスで識別される、請求項２３に記載のＵＥデバイス。
【請求項２６】
前記ネットワーク情報は、前記ＵＥデバイスが登録されているワイドエリアセルラネットワークのセルグローバルアイデンティフィケーション（ＣＧＩ）情報、利用可能なワイドエリアセルラネットワークに関するＣＧＩ情報、すべての前の登録失敗の原因値、少なくとも１つの利用可能なワイドエリアセルラネットワークのブロードキャストコントロールチャネル（ＢＣＣＨ）情報、および少なくとも１つの利用可能なワイドエリアセルラネットワークのパケットコントロールチャネル（ＰＣＣＨ）情報のうちの少なくとも１つを含む、請求項２３に記載のＵＥデバイス。
【請求項２７】
前記サービス要求は、音声だけのサービス、データだけのサービス、音声とデータとのサービス、ＧＡＮサービス、ハンドオーバーサービス、前記ＵＥデバイスと関連したコーリングプラン、パケットデータサービス能力、およびアンライセンストモバイルアクセス（ＵＭＡ）サービス能力のうちの少なくとも１つを含み、該サービス要求は、該ＵＥデバイスと関連したロケーションエリア情報に基づいて選択可能である、請求項２３に記載のＵＥデバイス。
【請求項２８】
前記ネットワークノードは、前記ＵＥデバイスと関連したデフォルトＧＡＮＣを備える、請求項２３に記載のＵＥデバイス。
【請求項２９】
前記ネットワークノードは、前記ＵＥデバイスと関連したホームネットワークＧＡＮＣを備える、請求項２３に記載のＵＥデバイス。
【請求項３０】
前記ネットワークノードは、前記ＵＥデバイスと関連した暫定ＧＡＮＣを備える、請求項２３に記載のＵＥデバイス。
【請求項３１】
前記ネットワーク情報のうちの少なくとも１つおよび前記一式のサービス要求は、ジェネリックアクセス−リソースコントロール（ＧＡ−ＲＣ）ＲＥＧＩＳＴＥＲ  ＲＥＱＵＥＳＴメッセージを介して、前記通信サブシステムによって送信される、請求項２３に記載のＵＥデバイス。
【請求項３２】
前記応答メッセージは、ＧＡ−ＲＣ  ＲＥＧＩＳＴＥＲ  ＲＥＱＵＥＳＴメッセージを包含する、請求項３１に記載のＵＥデバイス。
【請求項３３】
無線環境に配置されたユーザ設備（ＵＥ）デバイスで動作可能なジェネリックアクセスネットワークコントローラ（ＧＡＮＣ）であって、該ＧＡＮＣは、
ネットワーク情報のうちの少なくとも１つおよび一式のサービス要求を、該ＵＥデバイスから登録要求メッセージを介して受信する手段と、
該ＵＥデバイスについて、識別された１つ以上のワイドエリアセルラネットワークで動作可能なジェネリックアクセスネットワークコントローラ（ＧＡＮＣ）の適切なリストを決定するために、該ネットワーク情報および該一式のサービス要求を解決する手段と、
該ＧＡＮＣのリストを該ＵＥデバイスに、該登録要求メッセージに応じた応答メッセージを介し送信する手段と
を備える、ＧＡＮＣ。
【請求項３４】
前記ワイドエリアセルラネットワークは、ジェネラルパケットラジオサービス（ＧＰＲＳ）ネットワーク、エンハンストデータレートフォーグローバルシステムフォーモバイルコミュニケーション（ＧＳＭ）エボルーション（ＥＤＧＥ）ネットワーク、第３世代パートナーシッププロジェクト（３ＧＰＰ）準拠ネットワーク、インテグレーテッドデジタルエンハンストネットワーク（ＩＤＥＮ）、コードディビジョンマルチプルアクセス（ＣＤＭＡ）ネットワーク、ユニバーサルモバイルテレコミュニケーションシステム（ＵＭＴＳ）ネットワーク、およびユニバーサルテレストリアルラジオアクセスネットワーク（ＵＴＲＡＮ）のうちの少なくとも１つを備える、請求項３３に記載のＧＡＮＣ。
【請求項３５】
前記ＧＡＮＣは、ユニフォームリソースロケータ（ＵＲＬ）で識別される、請求項３３に記載のＧＡＮＣ。
【請求項３６】
前記ＧＡＮＣは、対応するインターネットプロトコル（ＩＰ）アドレスで識別される、請求項３３に記載のＧＡＮＣ。
【請求項３７】
前記ネットワーク情報は、登録されたワイドエリアセルラネットワークのセルグローバルアイデンティフィケーション（ＣＧＩ）情報、利用可能なワイドエリアセルラネットワークに関するＣＧＩ情報、すべての前の登録失敗の原因値、少なくとも１つの利用可能なワイドエリアセルラネットワークのブロードキャストコントロールチャネル（ＢＣＣＨ）情報、および少なくとも１つの利用可能なワイドエリアセルラネットワークのパケットコントロールチャネル（ＰＣＣＨ）情報のうちの少なくとも１つを包含する、請求項３３に記載のＧＡＮＣ。
【請求項３８】
前記サービス要求は、音声だけのサービス、データだけのサービス、音声とデータとのサービス、ＧＡＮサービス、ハンドオーバーサービス、前記ＵＥデバイスと関連したコーリングプラン、パケットデータサービス能力、およびアンライセンストモバイルアクセス（ＵＭＡ）サービス能力のうちの少なくとも１つを含み、該サービス要求は、該ＵＥデバイスと関連したロケーションエリア情報に基づいて選択可能である、請求項３３に記載のＧＡＮＣ。
【請求項３９】
前記ネットワーク情報は、少なくとも１つの帯域における走査を介し、前記ＵＥデバイスによって集められる、請求項３３に記載のＧＡＮＣ。
【発明の詳細な説明】
【技術分野】
【０００１】
（開示の分野）
本特許開示は、一般に通信ネットワークに関する。より詳しくは、限定の意味ではなく、本特許出願は、ワイドエリアセルラネットワーク（ＷＡＣＮ）スペースに相互接続され得る無線アクセスネットワーク（ＡＮ）において動作可能なユーザの設備（ＵＥ）による、ネットワークの発見および選択のスキームに向けられる。
【背景技術】
【０００２】
（背景）
無線アクセスネットワークは、様々な遠距離通信ネットワーク環境の重要な要素となって来ている。企業のネットワークについては、ポータブルコンピュータおよびモバイルハンドヘルドデバイスを持ち運ぶ社員のために、および同じように装備された訪問客または臨時の社員のために、ネットワークリソースへの便利なアクセスを、企業は提供している。設備が頻繁に移動されまたは変更される環境においては、物理的なイーサネット（登録商標）ジャックに代わる費用効果の高い代替も、企業は提供している。さらに、多様な通信／コンピューティングデバイスを用いて動作可能な無線アクセスポイントは、例えば、ホテル、空港、レストラン、およびコーヒーショップのような公共の環境の中でユビキタスとなりつつある。高速インターネットアクセスの増大に伴って、ユーザの家でのアクセスポイントの使用も、構想され、他のアプリケーションに向けて始まっている。
【０００３】
同時に、ユーザの設備（ＵＥ）の活動の舞台でのいくつかの開発も、無線アクセスネットワークによって提供される能力の利点を生かし始まっている。特に興味深いのは、無線ローカルエリアネットワーク（ＷＬＡＮ）のような無線アクセスネットワークとインターフェースする能力を有するセルラフォンの統合である。そのような「デュアルモード」デバイスが利用可能になるにつれて、セルラネットワークとＷＬＡＮとの間でなんらかの相互作用をするメカニズムが、あるタイプのネットワークから他のタイプのネットワークへのサービスの有効なハンドオーバーを容易とするために求められる。
【発明の開示】
【発明が解決しようとする課題】
【０００４】
現在のＧＡＮ仕様は、ＵＥデバイス（例えば、モバイルステーション、またはＭＳ）が、第３世代パートナーシッププロジェクト（３ＧＰＰ）規格に従って発見され許可された場合に、パブリックランドモバイルネットワーク（ＰＬＭＮ）のようなワイドエリアセルラネットワーク（ＷＡＣＮ）に、ＵＥデバイスが登録し得るということを提供している。また、ＷＡＣＮ接続性がない場合には、ある種の状況下でＧＡＮに登録することを、ＵＥデバイスは許可され得る。さらに、アンライセンストモバイルアクセス（ＵＭＡ）技術が用いられた場合にも、同様のネットワーク接続性ビヘービアに遭遇し得る。しかしながら、とくに、ＰＬＭＮへの接続性が、ＧＡＮまたはＵＭＡベースのアクセスネットワークを介して要望されたときには、例えば、２、３例を挙げると、ナンバープランの互換性、サービスのハンドオーバー、緊急コールのルーティングのようなシナリオにおいて、いくつかの重要な問題が生じる。
【発明を実施するための最良の形態】
【０００５】
本特許出願の実施形態のより完全な理解は、添付図面と共に以下の詳細な説明を参照することによってなされ得る。
【０００６】
（図面の詳細な説明）
本特許開示は、ＵＥデバイスについてのジェネリックアクセスネットワーク（ＧＡＮ）選択を達成するスキームに広く向けられ、ＵＥデバイスは、ワイドエリアセルラネットワーク（ＷＡＣＮ）帯域、およびＧＡＮ帯域またはＵＭＡ帯域で動作可能である。ネットワークノード（例えば、ＧＡＮコントローラ（ＧＡＮＣ）またはＵＭＡネットワークコントローラ（ＵＮＣ））は、サービス要求と、ＵＥデバイスによって集められ、登録要求メッセージを介して送信され得るネットワーク情報とを解決するロジック備えている。それに基づき、適切なＵＮＣ／ＧＡＮＣのリストが選択のためにＵＥに提供され得、ＵＮＣ／ＧＡＮＣは、ＵＥデバイスについて識別されたもう１つのワイドエリアセルラネットワーク（すなわち、ＰＬＭＮ）で動作可能である。
【０００７】
一局面においては、ネットワーク選択方法の実施形態が開示され、該方法は、少なくとも１つの帯域で走査することを介してＵＥによってネットワーク情報を集めることと、集められたネットワーク情報のうちの少なくとも１つと一式のサービス要求とをＵＥデバイスによってネットワークノードに送信することと、ネットワーク情報と一式のサービス要求をネットワークノードによって解決して、ＵＥデバイスについて識別された複数のワイドエリアセルラネットワークで動作可能な適切なＧＡＮＣのリストを決定することとを包含し、ＧＡＮＣのリストは、ＵＥデバイスによる選択のために、応答メッセージを介してＵＥデバイスに送信される。
【０００８】
別の局面においては、ネットワーク選択システムの実施形態が開示され、該システムは、少なくとも１つの帯域で走査することを介してネットワーク情報を集めるＵＥデバイスと関連する手段と、集められたネットワーク情報のうちの少なくとも１つと一式のサービス要求とをネットワークノードに送信するＵＥデバイスと関連する手段と、ネットワーク情報と一式のサービス要求を解決して、ＵＥデバイスについて識別された複数のワイドエリアセルラネットワークで動作可能な適切なＧＡＮＣのリストを決定することに関連する手段とを備え、ＧＡＮＣのリストは、ＵＥデバイスによる選択のために、応答メッセージを介してＵＥデバイスに送信される。
【０００９】
なおさらなる局面においては、ＵＥデバイスの実施形態が開示され、該デバイスは、ＵＥデバイスを動作させることに関する一式の適切なサービス要求の識別を容易とするロジックモジュールと、少なくとも１つの帯域で走査することを介してネットワーク情報を集め、集められたネットワーク情報のうちの少なくとも１つとサービス要求とをネットワークノードに送信する通信サブシステムと、ネットワークノードによって提供される一式のＧＡＮＣからＧＡＮＣを選択するロジックモジュールとを備え、ＧＡＮＣのリストは、ネットワーク情報とサービス要求とをネットワークノードによって解決することに基づいて決定される。識別されたＧＡＮＣは、ＵＥデバイスのために識別されたワイドエリアセルラネットワークの少なくとも一部で動作可能であり、一式のＧＡＮＣはＵＥデバイスによる選択のために、応答メッセージを介してＵＥに送信される。
【００１０】
さらに別の局面においては、無線環境に配置されたＵＥデバイスを用いて動作可能なＧＡＮＣノードの実施形態が開示され、該ＧＡＮＣノードは、ネットワーク情報のうちの少なくとも１つと一式のサービス要求とを、ＵＥデバイスからの登録要求メッセージを介して受信する手段と、ネットワーク情報と一式のサービス要求とを解決することによって、ＵＥデバイスについて識別された１つ以上のワイドエリアセルラネットワークで動作可能な適切なＧＡＮＣリストを決定する手段と、ＧＡＮＣのリストをＵＥデバイスに、登録要求メッセージに応じた応答メッセージを介して送信する手段とを備える。
【００１１】
本特許開示のシステムおよび方法が、実施形態が最善で為され使用され得る方法の様々な実施例に関連してここで説明される。同じ参照数字が、説明およびいくつかの図を通して同じまたは対応する部分を示すために使用され、様々な要素は必ずしも縮尺に従って描かれていない。ここで図を、より詳しくは図１を参照するが、そこには例示的な一般化されたネットワーク環境１００が描かれ、本特許開示の実施形態が実践され得る。ユーザ設備（ＵＥ）デバイス１０２は、任意のポータブルコンピュータ（例えば、ラップトップ、パームトップ、またはハンドヘルドコンピューティングデバイス）またはモバイル通信デバイス（例えば、セルラフォン、またはメッセージの送受信、ウェブブラウジングなどが可能なデータイネーブル（ｄａｔａ−ｅｎａｂｌｅｄ）ハンドヘルドデバイス）、または任意の高機能パーソナルディジタルアシスタント（ＰＤＡ）あるいはｅメール、ビデオメール、インターネットアクセス、企業データアクセス、メッセージング、カレンダリングおよびスケジューリング、情報管理などが可能な統合化情報器具を備え、ユーザ設備デバイス１０２は、好ましくは１つ以上の動作モードで動作可能である。例えば、ＵＥデバイス１０２は、セルラ電話帯域周波数と無線ローカルエリアネットワーク（ＷＬＡＮ）帯域とで動作し得るか、またはＷＬＡＮ帯域だけで動作し得る。さらに、ＵＥデバイスが無線で動作し得る他の帯域は、Ｗｉ−Ｍａｘ帯域または１つ以上の衛星帯域を包含し得る。さらに、ネットワーク環境１００は、３つの広いカテゴリの、ＵＥデバイス１０２にサービスを提供することが可能な通信スペースから成る。ワイドエリアセルラネットワーク（ＷＡＣＮ）スペース１０４においては、任意の数のパブリックランドモバイルネットワーク（ＰＬＭＮ）が存在し得、ＰＬＭＮは、セルラ電話サービスを提供するために動作可能であり、セルラ電話サービスは、パケットスイッチ（ｐａｃｋｅｔ−ｓｗｉｔｃｈｅｄ）データサービスを含み得るかまたは含み得ない。サービス領域およびユーザがローミングするか否かに依存して、ＷＡＣＮスペース１０４は多数のセルラＲＡＮ、ホームのネットワーク（ａｓｓｏｃｉａｔｅｄ  ｈｏｍｅ）（すなわち、ホームのＰＬＭＮまたはＨＰＬＭＮ）１１０および訪問者用のネットワーク（ｖｉｓｉｔｅｄ  ｎｅｔｗｏｒｋ）（すなわち、ＶＰＬＭＮ）１１２を含み得、各々は、ホームロケーションレジスタ（ＨＬＲ）ノード１１５、モバイルスイッチングセンタ（ＭＳＣ）ノード１１６などのような適切なインフラストラクチャを有する。ＷＡＣＮスペース１０４はまた、グローバルシステムフォーモバイルコミュニケーション（ＧＳＭ）ベースのキャリアネットワークのセルラインフラストラクチャを使用してモバイルデバイスのためのパケット無線アクセスを提供するジェネラルパケットラジオサービス（ＧＰＲＳ）ネットワークも含み得るので、ＧＰＲＳサポートノード（ＳＧＳＮ）１１４をサービスすることは、その中で実証される。さらに、一般化のために、ＷＡＣＮスペース１０４のＰＬＭＮは、エンハンストデータレートフォーＧＭＳエボルーション（ＥＤＧＥ）ネットワーク、インテグレーテッドデジタルエンハンストネットワ��ク（ＩＤＥＮ）、コードディビジョンマルチプルアクセス（ＣＤＭＡ）ネットワーク、ユニバーサルモバイルテレコミュニケーションシステム（ＵＭＴＳ）ネットワーク、ユニバーサルテレストリアルラジオアクセスネットワーク（ＵＴＲＡＮ）、または任意の第３世代パートナーシッププロジェクト（３ＧＰＰ）準拠のネットワーク（例えば、３ＧＰＰまたは３ＧＰＰ２）の１つ以上を包含するグループから選択されるネットワークを包含し得、それらのネットワークのすべては周知の周波数帯域およびプロトコルで動作する。
【００１２】
さらに、ＵＥデバイス１０２は、アクセスネットワーク（ＡＮ）スペース１０６からのサービスを受けるように動作可能であり、アクセスネットワークスペース１０６は、ＷＡＣＮスペース１０４と関連して動作可能である。一インプリメンテーションにおいては、ＡＮスペース１０６は、１つ以上のジェネリックアクセスネットワーク（ＧＡＮ）１１８および任意のタイプのＷＬＡＮアレンジメント１２０を含む。以下でさらに詳しく説明されるＧＡＮ１１８は、ブロードバンドインターネットプロトコル（ＩＰ）ベースのネットワークを使用して、ＵＥデバイス１０２とＰＬＭＮコアネットワークとの間のアクセスサービスを提供するように動作可能である。ＷＬＡＮアレンジメント１２０は、アクセスポイント（ＡＰ）または「ホットスポット」を介して、ＵＥデバイス１０２に対して短距離無線接続性を提供し、例えば、ＩＥＥＥ８０２．１１ｂ、ＩＥＥＥ８０２．１１ａ、ＩＥＥＥ８０２．１１ｇ、ＨｉｐｅｒＬａｎおよびＨｉｐｅｒＬａｎ  ＩＩ規格、Ｗｉ−Ｍａｘ規格、ＯｐｅｎＡｉｒ規格、およびＢｌｕｅｔｏｏｔｈ規格など様々な規格を使用してインプリメントされ得る。従って、ＡＮスペース１０６がＵＭＡベースのネットワーク含み得るということが予見され、ＵＭＡベースのアクセスネットワークは、セルラＲＡＮ（ＷＡＣＮスペース１０４の一部）とライセンスされていない無線ネットワークとの間でのシームレスな移行を達成するために、ＵＭＡネットワークコントローラ（ＵＮＣ）ノードを配置する。
【００１３】
一実施形態においては、ＷＡＣＮスペースとＡＮスペースとの間をインターフェースすることは、特定の規格に従って達成され得る。たとえば、ＧＡＮ１１８は、３ＧＰＰ  ＴＲ４３．９０１と３ＧＰＰ  ＴＳ４３．ｘｘｘとのドキュメントおよび関連ドキュメントに述べられる手順を使用して、ＰＬＭＮコアとインターフェースされ得る。同様に、ＷＬＡＮ１２０は、３ＧＰＰ  ＴＳ２２．２３４、３ＧＰＰ  ＴＳ２３．２３４、および３ＧＰＰ  ＴＳ２４．２３４のドキュメントおよび関連ドキュメントに述べられる手順を使用して、ＰＬＭＮコアとインターフェースされ得るので、従ってインターワーキングＷＬＡＮ（Ｉ−ＷＬＡＮ）アレンジメントと呼ばれ得る。
【００１４】
さらに、ＵＥデバイス１０２に短距離無線接続性を提供するＷＡＣＮスペース１０４にインターフェースされないアクセスネットワーク（ＡＮ）スペース１０８が存在し得る。例えば、ＡＮスペース１０８は、３ＧＰＰでないサービスを提供するＷＬＡＮ１２２を包含し得、「公共」のアクセスポイント（ホテル、コーヒーショップ、本屋、アパートメント、教育機関ほか、有料無料を問わず）、企業のアクセスポイント、およびユーザはその企業のメンバーではないが少なくとも一部のサービスを許され得る訪問された（他の企業の）アクセスポイントを介する通信があり得る。
【００１５】
ＵＥデバイス１０２が配置され得る無線ネットワーク環境１００の寄せ集めを考えると、ユーザがＰＬＭＮ無線アクセスネットワーク（ＲＡＮ）からＧＡＮに移動するとき（すなわち、ハンドオーバーイン）またはＧＡＮからＰＬＭＮのＲＡＮに移動するとき（すなわち、ハンドオーバーアウト）に、ユーザがコールし得るような、縦のハンドオーバーメカニズムが存在することが望ましい。本特許開示の目的のために、用語「ＧＡＮ」または「ＷＬＡＮ」は交換可能であり得、任意のＵＭＡベースのアクセスネットワークもまた含み得るということが認識されるべきである。いずれにしても、そのような機能を容易にするために、およびそれと関連したユーザの経験全体をカスタマイズし向上させるために、本特許開示は、ＵＥデバイスによって集められたネットワーク情報ならびにそのサービスオプション、プラン、特徴、および同様のもの（より一般的には、「サービス要求」）が、無線ネットワーク環境１００に配置されたネットワークノードに送信されるスキームを提供し、その結果として、ＵＥデバイスが使用し得る適切なネットワークベースのロジックが、適切なネットワーク選択、リストなどに応じて動作可能である。さらに、以下で詳細に示されるように、そのようなネットワークベースのロジックは、１つ以上の相関付けおよびフィルタリングスキーム、データベース検索要求を活性化し得、その結果として、一般化されたネットワーク環境１００の中でより最適なネットワークへのリディレクション（ｒｅｄｉｒｅｃｔｉｏｎ）が達成され得る。
【００１６】
本開示の教示を明確にするために、ここで図２が参照されるが、そこでは、図１で示された一般化されたネットワーク環境１００のより具体的なサブセットである、ネットワーク環境２００の例示的な実施形態が示される。示されるように、ＵＥデバイス１０２は、一式のＰＬＭＮを発見するために動作可能に配置され、ＰＬＭＮは、ＵＥデバイス１０２にアクセス可能な１つ以上のＧＡＮとの接続性を有することに加え、従来のＲＡＮインフラストラクチャを介するＵＥデバイス１０２へのアクセスを可能とする。例えば、ＧＡＮ−１  ２０２−１からＧＡＮ−Ｎ  ２０２−Ｎは、任意のタイプのＷＬＡＮおよび／またはＩ−ＷＬＡＮアレンジメント（公知であるかまたは今まで公知でない）を含みもするように本特許開示の目的ために一般化され得、ＵＥデバイスによって発見されるように動作可能である。ＧＡＮは、ＵＥデバイス１０２に関するＶＰＬＭＮ２０４−１から２０４−ＭまでおよびＨＰＬＭＮ（例えば、ＨＰＬＭＮ２０６）を含み得る１つ以上のＰＬＭＮに対する接続性を、サポートし得るかまたは全くサポートし得ない。ＧＡＮ−ＰＬＭＮ接続性がサポートされる場合には、特定のＧＡＮの背後のどのＰＬＭＮがＵＥデバイス１０２に見えるかは、例えばＧＡＮオペレータとＰＬＭＮオペレータとの間の契約的合意のような、多くの商業的要因に依存する。示されるように、ＧＡＮ−１  ２０２−１は、ＶＰＬＭＮ−１  ２０４−１およびＶＰＬＭＮ−２  ２０４−２に対する接続性をサポートする。同様に、ＧＡＮ−２  ２０２−２は、ＶＰＬＭＮ−Ｍ  ２０４−ＭおよびＨＰＬＭＮ２０６に対する接続性をサポートする。これにひきかえ、ＧＡＮ−Ｎ  ２０２−ＮはワイドエリアＰＬＭＮに対する接続性を有しない。
【００１７】
周知であるように、ワイドエリアセルラＰＬＭＮの各々は、各セルがセクタを有する多数のセルとして配置され得る（例えば、一般的にはベースステーション（ＢＳ）またはセル当り１２０程度のセクタ）。各セルは、セルアイデンティティを用いて提供され得、それは基礎を成すＷＡＣＮ技術に依存して変わり得る。例えば、ＧＳＭネットワークにおいては、各個々のセルは、それらを識別するために、セルグローバルアイデンティフィケーション（ＣＧＩ）パラメータを用いて提供される。一群のセルは、普通ロケーションエリア（ＬＡ）として指定され、ＬＡ識別子（ＬＡＩ）によって識別され得る。さらに、マクロレベルで、ＰＬＭＮは、基礎をなす技術に従って識別され得る。たとえば、ＧＳＭベースのＰＬＭＮは、モバイルカントリーコード（ＭＣＣ）およびモバイルネットワークコード（ＭＮＣ）から成る識別子によって識別され得る。同じように、ＣＤＭＡ／ＴＤＭＡベースのＰＬＭＮは、システム識別（ＳＩＤ）パラメータによって識別され得る。セルラインフラストラクチャとは関係なく、すべてのセルは、サービスを得ることを望む無線デバイス（例えば、ＵＥデバイス１０２）が無線ネットワークを識別し得るように、マクロレベルのＰＬＭＮ識別子をブロードキャストする。
【００１８】
図３は、例示的なネットワークシステム３００の機能ブロック図を表し、ワイドエリアセルラＰＬＭＮ３０６は、ＧＡＮ３０２および関連したコントローラ（ＧＡＮＣ）３０４を介してＵＥデバイス１０２にアクセス可能である。実質的には、示される実施形態においては、ＧＡＮ３０２はＰＬＭＮ３０６の周知のＡ／Ｇｂインターフェースに対するアクセスを提供するブロードバンドＩＰベースのアクセスネットワークとして動作可能であり、ＧＡＮＣ３００は、Ｕｐ基準点インターフェース３０３を介してＧＡＮ３０２に結合されるネットワークノードである。適応可能な３ＧＰＰ仕様書で提供されるように、Ｕｐ基準点インターフェース３０３は、ＧＡＮＣ３０４とＵＥデバイス１０２との間のインターフェースを規定する。ＧＡＮがＧＳＭ／ＥＤＧＥ  ＲＡＮ（ＧＥＲＡＮ）インフラストラクチャと共存するように動作可能である場合には、それは、標準ＧＥＲＡＮベースステーションサブシステム（ＢＳＳ）ネットワーク要素によって使用される同じＡ／Ｇｂインターフェースを介して、コアＰＬＭＮに相互接続する。従って、ＧＡＮＣ３０４の機能は、ＧＥＲＡＮ  ＢＳＳ（この図においては示されていない）の機能をエミュレートするように相互に作用する必要なプロトコルを含む。Ａインターフェース３０５は、ＧＳＭベースのサーキットスイッチ（ｃｉｒｃｕｉｔ−ｓｗｉｔｃｈｅｄ）（ＣＳ）サービスのためのインターフェースを規定し、ＧＡＮＣ３０４とＰＬＭＮ３０６のＭＳＣ３０８との間に配置される。Ｇｂインターフェース３０７は、ＧＰＲＳベースのパケットスイッチ（ＰＳ）サービスのためのインターフェースを規定し、ＧＡＮＣ３０４とＰＬＭＮ３０６のＳＧＳＮ３１０との間に配置される。セキュリティゲートウェイ（ＳＧＷ）３１１もＧＡＮＣ３０４に含まれ得、Ｗｍ基準点３０９を介して（３ＧＰＰ  ＴＳ  ２３．２３４によって規定されるように）ＰＬＭＮ３０６に配置される認証、承認および清算（ＡＡＡ）プロキシ／サーバノード３１２とインターフェースされ、ＨＬＲ３１６は、ＡＡＡノード３１２に動作可能に結合される。当業者は、同様のインフラストラクチャが、ＵＭＡネットワークコントローラまたはＵＮＣがＧＡＮＣ３０４と同じ方法で一般的に動作可能である、ＵＭＡベースのインプリメンテーションにおいて用いられ得るということを認識する。
【００１９】
動作においては、Ａ／Ｇｂインターフェースの立場から見られるように、ＧＥＲＡＮアーキテクチャにおけるベースステーションコントローラ（ＢＳＣ）の役割をまねることによって、ＧＡＮＣ３０４は、コアＰＬＭＮ３０６に対してＧＥＲＡＮ  ＢＳＳネットワークの要素として見える。従って、ＧＡＮＣ３０４が接続されるＰＬＭＮ３０６は、ＢＳＣによってサポートされる無線アクセスとは違った、ＧＡＮＣによってサポートされている基礎と成るアクセスメカニズムに気付かない。前に言及したように、ジェネリックアクセス（ＧＡ）でイネーブルされるＵＥデバイス１０２とＧＡＮＣ３０４との間に配置されたＧＡＮ３０２は、適切なブロードバンドＩＰネットワークによって達成され得る。ＧＡＮＣ３０４によって提供される全体の機能は、以下のとおりである。
−  ＵＥへのボイス／ＵＥからのボイス、およびＭＳＣへのＰＣＭボイス／ＭＳＣからのＰＣＭボイスのコード変換を含む、Ｕｐインターフェースを介するＣＳベアラーをＡインターフェースを介するＣＳベアラーに織り込むことを含む、ユーザプランＣＳサービス、
−  Ｕｐインターフェースを介するデータトランスポートチャネルをＧｂインターフェースを介するパケットフローに織り込むことを含む、ユーザプランＰＳサービス、
−（ｉ）相互認証、暗号化およびデータ統合のためのＵＥについての安全トンネルを設定するＳＧＷ、（ｉｉ）ＧＡＮサービスアクセスのための登録およびシステム情報を提供すること、（ｉｉｉ）ＣＳおよびＰＳサービスのためのＧＡＮベアラー経路の設定（例えば、ＵＥとＧＡＮＣとの間の信号伝達およびユーザプランベアラーの確立、マネジメント、および解体）、および（ｉｖ）例えばページングおよびハンドオーバーのためのＧＳＭラジオリソース（ＲＲ）マネジメントおよびＧＰＲＳラジオリンクコントロール（ＲＬＣ）に対するＧＡＮ機能等価物を含む、制御プラン機能。
【００２０】
図４Ａは、図３において示されるネットワークシステム３００と関連したＣＳドメイン信号伝達面で動作可能なプロトコルスタック４００Ａの例示的な実施形態を示す。同様に、図４Ｂは、ネットワークシステム３００と関連したＰＳドメイン信号伝達面で動作可能なプロトコルスタック４００Ｂの例示的な実施形態を示す。Ａ／Ｇｂインターフェースへのジェネリックアクセスおよび関連したアーキテクチャに関するさらなる詳細は、上で参照され援用された米国仮特許出願において規定される適用可能な３ＧＰＰ仕様の中に見いだされ得る。さらに、本特許開示の教示の広い一般化と調和させるために、「アクセスネットワークサーバ」は、上述のようにコアＰＬＭＮとＵＥとの間のインターフェースに対して動作可能なネットワークのノードまたは要素を包含し得、それは、特定のインプリメンテーションとしてはＧＡＮＣまたはＵＮＣを含み得る。
【００２１】
図１および図２と関連して上で説明されたネットワーク環境のような一般化されたネットワーク環境内で提供されるさまざまなＧＡＮ／ＷＬＡＮおよびＰＬＭＮの寄せ集めを考えると、ＵＥデバイスと利用可能なＷＡＣＮ（すなわち、ＰＬＭＮ）との間のアクセスを提供する立場からは、多数のＧＡＮ／ＧＡＮＣ構成が可能であるということは、当業者にとって明らかである。図５Ａは、一実施形態に従う、単一のアクセスネットワーク（ＡＮ）５０２が、複数のＰＬＭＮ５０４−１から５０４−Ｋまでに接続するように動作可能な場合のネットワークアレンジメント５００Ａを示し、各ＰＬＭＮは、対応するＧＡＮＣによってサービスされる。例示の目的で、ＡＮ５０２は、ＧＡＮとして一般化され、ＧＡＮは、上で説明されたＧＡＮＣプロトコルを用いて動作可能なＷＬＡＮであり得、複数のＵｐインターフェース５０３−１から５０３−Ｋまでは、ＧＡＮＣに結合するためにサポートされる。参照番号５０６−１から５０６−Ｋまでは、複数の別個のＧＡＮＣノードを意味し、ＧＡＮＣノードの各々は、それと関連する特定のＰＬＭＮとインターフェースし、ＭＳＣ５０８−１から５０８−ＫまでおよびＳＧＳＮ５１０−１から５１０−Ｋまでは、それぞれのＰＬＭＮインフラストラクチャの実例である。各ＰＬＭＮは、ＳＧＳＮノードを用いて提供されるが、それは、本開示の目的に関する要件ではなく、ＰＬＭＮ５０４−１から５０４−Ｋまでは、異なるワイドエリアセルラ技術、プロトコルおよび規格に従ってインプリメントされ得るということを、当業者は認識すべきである。
【００２２】
ここで図５Ｂを参照すると、そこには、代替的なネットワークアレンジメント５００Ｂが示され、複数のバーチャルＧＡＮＣ区画５５２−１から５５２−Ｋまでをサポートする単一の物理的なＧＡＮＣ５５０を介して、ＡＮ５０２（ＧＡＮまたは無線ＬＡＮ）が、複数のＰＬＭＮ５０４−１から５０４−Ｋまでに接続するように動作可能である。各バーチャルなＧＡＮＣ（ＶＧＡＮＣ）は、対応するＰＬＭＮについて必要なＡ／Ｇｂインターフェース機能を提供するように、独立して動作可能である。従って、それが接続するＰＬＭＮ当り、１つの論理的なＧＡＮＣがある。そのような配備は、ＷＬＡＮの接続性をサポートするＰＬＭＮが、それら独自のＧＡＮＣを所有し動作する必要がない場合に、使用され得る。
【００２３】
これまでの検討に基づき、ＧＡＮアーキテクチャが、例えばＧＰＲＳのような既存のプロトコルを活用することによって、ＷＬＡＮを３ＧＰＰ準拠のＷＡＣＮと相互作用させるための一般化されたフレームワークを提供し、そのために、コアで実行されるために有るか無しかの適合または規格化の作業しか要求しない、ということが理解されるべきである。これは、サービスがＧＡＮ／ＷＬＡＮから３ＧＰＰ準拠ＷＡＣＮにハンドオーバーされることを可能とし、逆に、信号伝達およびユーザ面のトラフィックは、損なわれないままである。しかしながら、ＣＳスイッチプロトコルおよびＧＰＲＳプロトコル（ロジカルリンクコントロールまたはＬＬＣ、およびサブネットワークディペンダントコンバージェンスプロトコルまたはＳＮＤＣＰ）が使用されるときには、選ばれたＧＡＮ／ＷＬＡＮは、ＭＳＣ／ＳＧＳＮがＧＡＮ／ＷＬＡＮトラフィックを終わらせるように使用されるように、同じＰＬＭＮ内にあるＭＳＣ／ＳＧＳＮに到達することができなければならない。さらに複雑な問題として、上で説明されたように、ＧＡＮ／ＷＬＡＮは、各々が別個に独立して発見され得るＧＡＮＣノードを有する、多くのＰＬＭＮに接続し得る。ユーザがそのようなＧＡＮ／ＷＬＡＮ環境に遭遇したときに、特定のＧＡＮＣの選択を規定する標準化された手順は、現在はない。結果として、多くの潜在的な問題が生じ、すべてのユーザの経験およびコールハンドオーバービヘービアは、悪影響を受け得る。例えば、デュアルモード（すなわち、２つの異なる技術、例えば、各々は別個の帯域にあることが好ましい）で動作するＧＡ適合のＵＥデバイスが、マクロのＰＬＭＮまたはＷＡＣＮを発見し、その後、異なるＷＡＣＮに属するＧＡＮＣを選らんだ場合には、ＡＮスペースとＷＡＣＮスペースとの間のハンドオーバーは機能しない。そのような問題はまた、１つのＧＡＮＣが、多数の独立して発見し得るＶＧＡＮＣ区画をサポートするために、区画された場合にも生じ得る。
【００２４】
さらに、異なる領域および国におけるさまざまなレベルの技術の浸透および展開に起因して、ＡＮおよびＷＡＣＮのスペースが、ＧＡＮ／ＷＬＡＮアプローチを使用してインターフェースされた場合に、さらなる複雑さが生じ得る。例えば、ＷＡＣＮサービス域がなくＷＬＡＮサービス域がある場合、ＧＡ適合のＵＥデバイスは、エリア内で自分自身を発見し得る。１つ以上のＷＬＡＮが、ＧＡＮアーキテクチャではなくＩ−ＷＬＡＮアプローチに基づく場合には、それらの間に存在し得るあらゆるサービスの違いに加え、たとえば登録、登録解除など、様々な制御プロセスにおける違いによって、ＵＥがＧＡＮとＩ−ＷＬＡＮとを区別することが好ましい。本特許開示の範囲を強調する目的のために、ユーザの経験に関した問題が以下に述べられる。
−  ＵＥは、現在、ＷＡＣＮに登録されていない。ここに、ＵＥは、それが存在する国を決定するためにセルラバンド信号をチェックすることができず（すなわち、ＭＣＣが分からない）、最高または最適なプロバイダを選択できない。ＨＰＬＭＮが、通常は最初に選択されるが、ＶＰＬＭＮの優先度は位置（例えば、国）に依存する。この状況において、ＵＥは、それが、利用可能なＧＡＮ／ＷＬＡＮを調べているときに、それが優先的に接続したいＶＰＬＭＮがどれであるかを知り得ない。
−  ユーザと関連したサブスクライバーアイデンティティモジュール（ＳＩＭ）またはリムーバブルユーザアイデンティティモジュール（ＲＵＩＭ）のオペレータの「優先ＰＬＭＮ」リストは、ＰＳデータサービス（例えば、ＧＰＲＳ能力）またはアンライセンストモバイルアクセス（ＵＭＡ）サービスのような他のサービスについてのＵＥのニーズを考慮しない。そのような状況は、ＰＬＭＮリストがＣＳボイスローミング契約のみに基づいていて、結果として、ユーザがｅメールおよび他のデータサービスを使用し得ない場合に、そのような状況が生じる。そのような問題は、ＧＡＮまたはＩ−ＷＬＡＮが使用されているかいないかにかかわらず生じ得るということを、当業者は留意する。
−  オペレータによって制御されるＰＬＭＮのリストの一部またはすべては、更新されていないことがあり得、ＵＥが動作している国への特定のエントリーが今ではないことがあり得る。
−  セルラ帯域を介してリストを更新することはキャパシティを要求するので、ＨＰＬＭＮは、オフの時間の間に、またはＵＥがＩ−ＷＬＡＮまたはＧＡＮを介して接続しているときにリストを更新することを望み得る。
−  ＵＥがＭＣＣを決定することを可能とするＷＡＣＮ信号がないときには、ＵＥ内のＡＧＰＳ（アシステッドグローバルポジショニングシステム）の利用性、または（マニュアルの）ユーザ入力およびＷＡＣＮ  ＭＣＣの直近の（すなわち、タイムスタンプされた）情報が、役に立ち得る。
−  国境近くでの動作の場合は、ＵＥが２つ以上のＭＣＣからの信号を得る結果となり得、それはユーザの選択、つまり「最小コスト」の選択を可能とする。
【００２５】
上述のリストは限定ではなく単なる例であることを当業者は認識すべきである。この点に関する参照において、様々な関係する問題が、ユーザの経験およびＧＡＮ／ＷＬＡＮスペースとＰＬＭＮスペースとの間のインターフェースとの関連におけるコールビヘービアについて明らかとなり得る、ということが予見される。
【００２６】
本開示の目的のために、両者の特定の特徴および能力は、適用可能な仕様、およびそれらに為され得るあらゆる修正および変更に依存して変わり得るが、ＧＡ能力を有するＵＥは、ネットワークの発見および選択の手順において、ある程度の違いを有する自動モードまたはマニュアルモードのいずれかで動作し得る。一般的に、マニュアルモードは、利用可能なＰＬＭＮ、使用されるべきベアラーの、および可能性としては、ＷＬＡＮまたは他の免許を受けていない無線技術（すなわち、Ｉ−ＷＬＡＮ、ＧＡＮ、またはＷＬＡＮを介するＰＬＭＮへの単なる接続）を使用するときに使用される方法でさえもの、より詳細な選択／フィルタリングを、ユーザが行うことを可能とする。ネットワークの発見と選択に関するさらなる詳細は、１つ以上の上で参照された米国仮特許出願および非仮特許出願の中に見いだされ得る。
【００２７】
ここで図６を参照すると、そこには実施形態に従った一般化されたネットワークの発見および選択のスキームのフローチャートが示され、ＵＥデバイスは、ＧＡＮ／ＷＬＡＮスペースおよびＷＡＣＮスペースを包含するネットワーク環境に配置される。示されるように、図６のフローチャートは、ＵＥデバイスが、電源投入の後に適切なネットワーク情報を集める場合の方法論と最初の発見（適用可能な３ＧＰＰ準拠手順により）とを達成するが、その後、最初の発見はネットワークノードに送信され、より最適なネットワークアレンジメント（すなわち、適切なＧＡＮＣ＋ＰＬＭＮの組み合わせ）を決定するが、より最適なネットワークアレンジメントは、ＵＥデバイスのサービス要求から見て好ましく、ＵＥデバイスのサービス要求もネットワークノードに通告され得る。従って、ＵＥによって発見されたネットワーク情報およびそのサービス要求の適切な解決を達成することによって、ネットワークノードは、より良いサービスの具体化を得るために、ＵＥデバイスに適切な指示を素直に提供し、該指示は、より適切なネットワークに向け直すこと、ロケーションベースのフィルタリングなどを含み得る。
【００２８】
図６の参照を続けると、ブロック６０２では、ＵＥデバイスは、１つ以上のＷＡＣＮ技術、帯域、および周波数に関連した走査を介して、ネットワーク情報を集める。さらにまたは代替的に、ＵＥデバイスは、１つ以上のＧＡＮ／ＷＬＡＮ技術、帯域、および周波数に関連した走査を介して、ネットワーク情報を集めるようにも適合される（ブロック６０４）。その後、ＵＥデバイスは、集められたネットワーク情報およびサービス／特徴要求（例えば、音声だけのサービス、データだけのサービス、音声とデータとのサービス、ＧＡＮサービス、ハンドオーバーサービス、ＵＭＡサービス能力、該ＵＥデバイスと関連したコーリングプラン、および／または該ＵＥデバイスと関連したロケーションエリア情報など）をネットワークノードに送信する（ブロック６０６）。一実施形態においては、集められたネットワーク情報は、ＵＥデバイスが登録されているＷＡＣＮの少なくとも１つのセルアイデンティティ情報（すなわち、登録されたＧＳＭ／ＧＥＲＡＮのＣＧＩ情報）と、他の利用可能なワイドエリアセルラネットワークに関係するＣＧＩ／セルのＩＤ情報と、あらゆる以前の登録失敗の原因値と、少なくとも１つの利用可能なワイドエリアセルラネットワークのブロードキャストコントロールチャネル（ＢＣＣＨ）情報と、少なくとも１つの利用可能なワイドエリアセルラネットワークのパケットコントロールチャネル（ＰＣＣＨ）情報とを包含し得る。前に言及したように、一実施形態においては、ＷＡＣＮは、それらの｛ＭＣＣ、ＭＮＣ｝の組み合わせによって識別され得る。また、特定のＷＡＣＮが、データサービスが可能（たとえば、ＧＰＲＳ可能）か否かを識別するようなさらなる特徴も、提供され得る。ＵＥデバイスが、格納された、または別の方法での様々なネットワークリストに基づき動作するように適合される範囲においては、禁止ＧＡＮ／ＰＬＭＮリスト、優先ＧＡＮ／ＰＬＭＮリスト（それらは、例えばサブスクライバアイデンティティモジュール（ＳＩＭ）またはリムーバブルユーザアイデンティティモジュール（ＲＵＩＭ）、またはデバイスメモリに格納され得る）のような追加的な選択の基準およびフィルタも、ネットワークノードに提供され得る。さらなるインプリメンテーションにおいては、ＵＥは、ＷＡＣＮおよび／またはＷＡＮのサービス領域を提供するだけのＰＬＭＮもリストし得る。
【００２９】
上述の走査動作は、能動的走査法または受動的走査法を介して実行され得るということが理解されるべきである。また、ＧＡＮを用いておよび／またはＰＬＭＮを用いて動作可能な２つ以上の帯域があり得る。一実施例においては、周波数帯域は、４５０ＭＨｚ、８５０ＭＨｚ、９００ＭＨｚ、１８００ＭＨｚ、１７００ＭＨｚ、１９００ＭＨｚ、２１００ＭＨｚ、２７００ＭＨｚを包含するグループ、または他の周波数および／または任意の衛星帯域から選択され得る。
【００３０】
集められたネットワーク情報、ＵＥデバイスからのサービス要求情報および／またはロケーション情報を受信した後に、ネットワークノードと関連したサービスロジックが、ＵＥデバイスによって要求されるサービス要求を、受信された情報の他の集まりを考慮して解決するように動作可能であり、その結果として、決定は、追加的または代替的なネットワークアレンジメントがＵＥデバイスにとって利用可能か否かについて為される。一部のインプリメンテーションにおいては、そのような解決は、さらなるネットワークノードおよびデータベース（例えば、ＨＰＬＭＮおよび／またはホームＧＡＮＣ、サービスデータベース、ローミングデータベースなど）とインターフェースすることを含み得る。その後、適切な指示が、ＵＥデバイスに対する適切な応答メッセージを介して提供され得、該適切な応答メッセージは、あらゆる追加的または代替的なネットワークアレンジメントに関連する適切な情報を含む。これらの動作は、ブロック６０８において示される。ネットワークノードから受信した指示に基づいて、ＵＥデバイスは、その後、適切なサービスを得ることに関与し得、そのサービスは、時折、ネットワークのリディレクション（ｒｅｄｉｒｅｃｔｉｏｎ）に従事する（ブロック６１０）。
【００３１】
図７Ａおよび図７Ｂは、上述のネットワーク情報収集プロセスの例示的なシナリオのフローチャートを表す。現在、適用可能なＧＡＮ仕様は、ＵＥデバイス、例えばモバイルステーション（ＭＳ）が、現在の３ＧＰＰネットワーク選択手順に従って見つけられかつ許可された場合には、最初にＧＳＭ／ＧＥＲＡＮ  ＰＬＭＮに登録しなければならないと述べている。従って、図７Ａにおいて例示されるプロセスフローは、ＧＥＲＡＮ  ＰＬＭＮネットワークにとって利用可能な帯域を走査することで始まる（ブロック７０２）。見つけられた各ＧＥＲＡＮ  ＰＬＭＮについて、例えば、ＣＧＩ情報、ＢＣＣＨおよび／またはＰＣＣＨの情報などの情報が、得られ、格納される（ブロック７０４、７０６、および７０８）。ＵＥデバイスは、その後、３ＧＰＰ仕様に従って選択し、ＧＥＲＡＮ  ＰＬＭＮに登録するが（ブロック７１０）、それは、ＵＥデバイスのネットワークリスト、優先度、および他のフィルタによって仲介され得る。特定のＰＬＭＮへの登録が失敗した場合には、失敗の理由が原因値として格納される（ブロック７１２およびブロック７１４）。いったん失敗の理由が格納されると、登録プロセスは、３ＧＰＰ仕様に従って発見された追加のＰＬＭＮについて繰り返し得る（ブロック７１６）。これにひきかえ、ＰＬＭＮ登録が成功した場合、またはどのＰＬＭＮへの登録も成功しなかった場合であって、ＵＥデバイスがＧＡＮだけのモードで動作することが可能である場合には、さらなるプロセスフローが、しかるべくそれに応じて続き得る（ブロック７１８）。しかしながら、ＰＬＭＮ登録は成功したがそのＰＬＭＮがＧＡＮ接続をサポートしない場合には、様々な懸案事項が生じ得、それらは、ＵＥデバイスのサービス選択ビヘービアに悪影響をもたらし得る。
【００３２】
ＧＡＮモードでの動作については、ＵＥデバイスは、それが最初の接続を設立するＧＡＮＣノードに対して多数の情報要素を提供するように動作可能である。好ましくは、先の検討で指摘されたように、そのような情報は、他の帯域またはモードでの走査を介して集められたネットワーク情報およびサービス要求を含み得る。とくに、図７Ｂを参照すると、あるＰＬＭＮへの登録の成功またはあらゆるＰＬＭＮへの登録の失敗の後に（ブロック７５０）、ＵＥデバイスは、好ましくは適用可能な３ＧＰＰ仕様に従って、ＧＡＮネットワークをサーチするよう動作可能である（ブロック７５２）。いったんユニフォームリソースロケータ（ＵＲＬ）またはＧＡＮＣノードのＩＰアドレスが得られると（ブロック７５４）、ＵＥデバイスは、例えば、公知のジェネリックアクセス−リソースコントロール（ＧＡ−ＲＣ）ＲＥＧＩＳＴＥＲ  ＲＥＱＵＥＳＴメッセージングを使用するＧＡＮＣに、認証し、登録する（ブロック７５６）。前のセクションで述べられた検討に従うと、ＧＡＮＣに対するそのような登録メッセージは、以下の任意のものに関係のある情報要素を、任意の組み合わせで含み得る。
−  利用可能かどうかの登録されたＧＥＲＡＮ  ＣＧＩ情報
−  登録が音声および／またはデータかどうか、
−  ＵＥデバイスによって要求されたサービスおよび特徴、例えば、音声だけのサービス、データだけのサービス、音声とデータとのサービス、ＧＡＮサービス、マルチメディアサービス、付加価値サービス、他
−  ハンドオーバーが要求されるかどうか
−  ホームカントリーコールオンリーのコールが要求されたかどうか
−  以前のＧＥＲＡＮ  ＰＬＭＮ登録の試みおよび失敗についての関連する原因値
−  登録要求は、登録は成功したがＧＡＮＣのリディレクト（ｒｅｄｉｒｅｃｔ）が受け入れられたというＧＥＲＡＮ  ＰＬＭＮ情報も含み得る。その中で、識別されたすべてのＶＰＬＭＮ情報は、以下のようにマークされ得る（下に詳細に記述される）。
−  利用可能な他のＰＬＭＮについてのＣＧＩ情報
−  利用可能なＰＬＭＮについてのＢＣＣＨ／ＰＣＣＨ情報。例えば、一インプリメンテーションにおいては、すべての利用可能なＰＬＭＮについてのＢＣＣＨ／ＰＣＣＨが含まれる。他のインプリメンテーションにおいては、利用可能なＰＬＭＮの一部分についてのＢＣＣＨ／ＰＣＣＨ情報が含まれ得る。
【００３３】
さらに、ブロック７５８で示されるように、ＧＡＮＣを用いた認証および登録が成功した後に、追加のネットワーク情報が、ＵＥデバイスによって収集され得る（例えば、適切な応答メッセージを介した適切なネットワークアレンジメント）。
【００３４】
この点を参照した上で、上述されたように、登録プロセスが、最初のネットワークの発見および登録プロセスの後に、ＵＥデバイスによって行われた場合には、追加の動作および／または情報の要素が含まれ得るということを、当業者は認識すべきである。例えば、ＷＡＣＮスペース（例えば、ＧＥＲＡＮ）について、ＵＥデバイスが、ＧＡＮＣノードからリディレクトメッセージ（下でさらに詳しく述べられるように、別個のメッセージまたは一般のリディレクトメッセージの一部であり得る）を受信した場合、ＵＥデバイスは、現在サービスしているＧＥＲＡＮ  ＶＰＬＭＮの登録を解除し、多数の方法でＶＰＬＭＮへの登録を試み得る。例示の目的で、ＶＰＬＭＮは、ＵＥデバイスによって従われ得るある優先順序で、ＧＡＮＣによって提供され得る。代替的に、順序が提供されていない場合には、ＶＰＬＭＮは、供給されるリストからランダムに選び得る。ＧＡＮスペースにおけるその後の登録については、ＵＥデバイスが、別のＶＰＬＭＮにリディレクトされ、新しいＶＰＬＭＮへの登録が成功した場合には、ＵＥデバイスは、前と同じＧＡＮを使用するホームＧＡＮＣを用いて再登録するように要求され得る。代替的に、その情報がリディレクトＧＡＮＣによって利用可能となった場合には、ＵＥデバイスは、新しいＶＰＬＭＮと関連するＧＡＮＣを用いて登録し得る。なおさらなるバリエーションにおいては、ＧＡＮＣからの指示に応じた後続のＧＡＮＣの登録がないこともあり得る。
【００３５】
前のセクションで説明されたように、ＷＡＣＮスペースとＧＡＮスペースとの間のインターフェースを考えると、最適なサービスを可能とする適切なＰＬＭＮとＧＡＮＣとの組み合わせを選択することは、例えば、サービス要求、利用可能なネットワーク情報、サービス能力、ロケーション情報などの多くの要因に基づいて調節され得る。サービスしているネットワークノード（例えば、デフォルトのＧＡＮＣまたは暫定的なＧＡＮＣ）が、ＵＥデバイスから適切な情報を受信したときには、ホームＧＡＮＣであるかＶＰＬＭＮと関連したＧＡＮＣであるかを解決することを含むサービスロジックの少なくとも一部が、ＵＥデバイスにサービスを提供すべきである。図８Ａと図８Ｂとは、本特許開示の実施形態に従ったＧＡＮＣ選択および選択的リディレクションと関連する２つのフローチャートである。サービスしているネットワークノードが、ＵＥデバイスから情報を受信したときには（ブロック８０２）、（ｉ）ローカルホームネットワークコールが要求されているか、および／または、（ｉｉ）ハンドオーバーが要求されず、かつどのＶＰＬＭＮ  ＧＡＮＣも使用され得ないか（ブロック８０４）を、ノードと関連するサービスロジックが決定する。そうである場合には、ネットワークノードは、ＵＥデバイスにホームネットワークＧＡＮＣを選択するように指示を提供する（ブロック８０６）。他方においては、ＵＥデバイスからの受信情報に基づいて（ブロック８２０）、ネットワークノードサービスロジックは、（ｉ）サービスのハンドオーバーが要求されているか、および／または（ｉｉ）ＶＰＬＭＮダイヤリングプランが要求されているかを決定する（ブロック８２２）。その場合には、ネットワークノードは、ＵＥデバイスにＶＰＬＭＮと関連したＧＡＮＣを選択するように指示を提供する（ブロック８２４）。
【００３６】
サービス要求と特徴要求との組み合わせおよびＵＥデバイスから受信したネットワーク情報に基づいて、多数のサービスシナリオを評価し解決するようにサービスロジックが動作可能であることが好ましい、ということは明らかである。例示的なサービスシナリオに関するさらなる詳細およびフローチャートが、１つ以上のすでに参照した米国特許仮出願および非仮特許出願において見出され得、それらは参考として援用される。一般化されたサービスシナリオについての検討が以下で述べられ、リディレクションが、ＧＡＮＣノードによって用いられ得る（それがホームＧＡＮＣ、デフォルトのＧＡＮＣ、または何か他の暫定的なＧＡＮＣであるかどうかに関係なく）。
【００３７】
ここで図９を参照すると、そこに、一実施形態におけるＧＡＮＣの選択およびリディレクションスキームのフローチャートが示される。例示の目的のために、ＨＰＬＭＮ  ＧＡＮＣノードが、ネットワークノードとして提供され、該ノードは、様々なサービスおよび特徴の要求ならびにＵＥデバイスによって集められたネットワーク情報を、最終的に解決する。ＵＥデバイスから適切な情報（例えば、既に言及したように、ＲＥＧＩＳＴＥＲ  ＲＥＱＵＥＳＴメッセージを介して）を受信した後に、ローミングサービス契約、サービス能力、アドレス照合（ａｄｄｒｅｓｓ  ｌｏｏｋｕｐ）などを評価するために、ＧＡＮＣノードは、ローカルおよび／またはリモートのデータベースを含む１つ以上のデータベース検索を実行し得る（ブロック９０２）。ＵＥデバイスが登録されているＶＰＬＭＮが、ＧＡＮ接続性を有すると決定された場合（ブロック９０４）には、ＨＰＬＭＮ  ＧＡＮＣは、リディレクトメッセージ（例えば、ＧＡ−ＲＣ  ＲＥＧＩＳＴＥＲ  ＲＥＤＩＲＥＣＴメッセージ）をＵＥデバイスに送信するように動作可能であり、該メッセージは、ＶＰＬＭＮ  ＧＡＮＣノードのＵＲＬ／ＩＰアドレスを含む（ブロック９０６）。他方で、登録されたＶＰＬＭＮが、ＧＡＮ接続性を有しない場合には、サービスロジックは、ＧＡＮＣをサポートする他のＰＬＭＮが存在するかどうかを決定するように動作可能である。ＧＡＮＣをサポートする他のＰＬＭＮが存在する場合には、それらのＵＲＬ／ＩＰアドレス情報も、適切なデータベース検索を実行することによって決定され得る。さらに、そのような決定は、ＵＥのロケーション、適用可能なサービスアレンジメントの存在などのような、他の情報に応じて評価され得る。これらの決定は、ブロック９０８において確定される。一実施形態においては、それは、受信されたブロードキャスト情報において識別されたセルが、使用のために利用可能なセルをなおも含むということを確認することを含み得る。この最初の調査の後になお利用可能であるＶＰＬＭＮは、ＨＰＬＭＮとＶＰＬＭＮとの間のローミング契約について決定するために、ローミングデータベースに選択的に送信され得る。適切なローミング契約が存在する場合には、好適なＰＬＭＮの情報が、ＨＰＬＭＮ  ＧＡＮＣにも返えされ得る。これらの選択的な手順の後に、ＧＡＮＣのサービスロジックは、別のデータベースにフィルタされたＶＰＬＭＮ情報を送信して利用可能なＧＡＮＣのＵＲＬ／ＩＰアドレスを決定し得る。リディレクションが適切に確立された場合には、適切なリディレクションメッセージ（例えば、ＧＡ−ＲＣ  ＲＥＧＩＳＴＥＲ  ＲＥＤＩＲＥＣＴメッセージ）が、ＵＥデバイスに送信され得、該メッセージは、複数の利用可能なＶＰＬＭＮと関連した１つ以上のＧＡＮＣのＵＲＬ／ＩＰアドレスを含む（ブロック９１０）。そうでない場合には、多くのオプションを示す応答メッセージが、ＵＥデバイスに提供され得る（ブロック９１２）。例えば、応答メッセージは、どのＧＡＮもＵＥデバイスにとって利用可能ではないという指示を含み得る。代替的にまたは追加的に、上で引用された１つ以上の関連する特許出願において説明されるように、適用可能である場合には、応答メッ���ージは、付加的な能力、サービス要求などを示す１つ以上の補足フィールドを含み得る。
【００３８】
上述のリディレクトメッセージの一般的な記法について、一実施形態は、ＰＬＭＮのアイデンティティ（例えば、｛ＭＣＣ，ＭＮＣ｝の組み合わせ）のリスト、ならびにサポートされるサービスおよび／または特徴を含み得、それらは、必須または選択的であり得る。別の実施形態においては、リディレクトメッセージは、ＧＡＮＣアドレス（すなわち、ＵＲＬ、ＩＰアドレス）のリスト、ならびにサポートされるサービスおよび／または特徴を含み得る。この場合には、ＧＡＮＣアドレス情報だけが必須であり、他の要素は選択的であり得る。
【００３９】
リディレクトメッセージが受信された場合には、ＵＥデバイスのビヘービアは、以下に述べられることに従って調整され得る。たとえば、メッセージが、ＵＲＬ／ＩＰアドレス情報だけを含む場合には、ＵＥは、最も高い優先度のＵＲＬ／ＩＰアドレスを有するＧＡＮＣを用いて登録し得る。この登録が失敗した場合には、その後、それらの優先順位（フラッグまたは他のしるしの手段によって示され得る）に基づいて、追加のＧＡＮＣへの登録が試みられ得る。同様に、リディレクトメッセージが、ＷＡＣＮ／ＰＬＭＮ情報だけを含む場合には、ＵＥデバイスは、それらの優先度に基づいて受信されたＰＬＭＮに継続的な登録を試みることもし得る。他方で、リディレクトメッセージが、ＧＡＮＣアドレスおよびＰＬＭＮ情報の両方を含む場合には、例示的な実施形態は、ＵＥデバイスが、ＰＬＭＮスペースのネットワークに最初に登録するということを要求し得る。その登録に成功した後に、ＵＥデバイスは、その後、選択されたＰＬＭＮと関連したＧＡＮＣを用いて登録し得る。
【００４０】
図１０は、サービスするネットワークノードと関連した例示的なデータベース構造１０００を示し、該データベース構造は、ネットワーク情報およびＵＥデバイスのサービス要求に基づき開発され得る。さらに、データベース構造情報１０００は、例えば、上述のＧＡ−ＲＣ  ＲＥＧＩＳＴＥＲ  ＲＥＤＩＲＥＣＴメッセージのような、リディレクトメッセージで送信されるデータ構造として使用され得る。ＶＰＬＭＮアイデンティティ欄１００２は、利用可能なＰＬＭＮについての基礎となるＷＡＣＮ技術に基づくネットワークアイデンティティを含む。ＧＥＲＡＮについて、例として、アイデンティティは、｛ＭＣＣ，ＭＮＣ｝の組み合わせから成る。他のアイデンティティ（例えば、ネットワークＩＤ−１からネットワークＩＤ−３）も、一部のインプリメンテーションにおいて提供され得る。参照番号１００４は、ＧＡＮＣの欄を意味し、欄１００２において識別されるＶＰＬＭＮについてのＧＡＮ接続性を提供する、１つ以上のＧＡＮＣのＵＲＬ／ＩＰアドレスを識別する。しかしながら、すべてのＰＬＭＮが対応するＧＡＮＣアドレス情報を有し得るわけではない、ということが留意されるべきである。例えば、｛ＭＣＣ，ＭＮＣ｝として識別されるＧＥＲＡＮ  ＰＬＭＮは、１つも対応するＧＡＮＣアドレス情報を有さないが、それは、そのようなＶＰＬＭＮ情報が、リディレクトメッセージの一部としてＵＥデバイスに送信され得ないということを示す。
【００４１】
データベース構造１０００において、明示的には提供されないが、ＶＰＬＭＮアイデンティティおよび対応するＧＡＮＣアドレスは、特定の優先度でリストされ得る。さらに、ＶＰＬＭＮおよびＧＡＮＣの情報はまた、ＵＥデバイスと関連したロケーション情報の適用に基づいてフィルタもされ得る。複数のタイプのロケーションおよび識別情報、ならびにそのようなロケーションおよび識別の複数の使用がある、ということも留意されるべきである。この情報は、一般的には、非セルラ無線アクセス技術においては欠落しており、一般的には、サービスセットＩＤ（ＳＳＩＤ）だけが提供され得、登録されるべき、もしくは規定された情報をユーザに提供すべき、そのＳＳＩＤに対する決められた要件はなく、ユーザに唯一性のある情報を提供すべき要件すらない。例示的なロケーションおよび識別情報は、以下のものを含み得る。
Ａ．  セルラ／ＷＡＣＮ
１．  ＭＣＣ
ａ．セルラＭＣＣ（例えば、ＧＳＭ）
ｂ．乗り物（例えば、船、飛行機、列車、バスなど）でのマイクロセル（また
は、小さなマイクロセルでさえも）と関連した国コード
２．  ＭＮＣ
３．  ＬＡＩ
４．  ＣＧＩ、他
５．  現在のセル（およびセクタ）のようなネットワークが生成した情報
６．  精度がさまざまの、ネットワーク情報に基づく地理的位置
７．  ＧＰＳまたは他の位置認識システムが装備されたハンドセットに基づく地理的
位置
Ｂ．  ＷＬＡＮ／ＧＡＮ
−    サービスセットＩＤ（ＳＳＩＤ）
−    他
Ｃ．  マニュアル入力情報および他の情報
１．  ＡＰの建物、階、部屋の位置、および同様の記述的情報
２．  ハンドセットの位置が、その後データベースに転送されて、ＡＰの位置につい
てのある（おそらくはグロスまたは粗い）情報を提供する場合の、デュアルモ
ードハンドセットに由来するロケーション情報に基づくＡＰの情報。地理的情
報であり得、またはセルラシステムのＬＡＩまたはＣＧＩを示し得る：
３．  （２）におけるような、しかしハンドセットからの直近の情報に由来するＡＰ
の情報であって、例えば、ユーザが建物の中に歩いて入り、受信域でなくなる
前の、２、３分前にハンドセットがビューしていたセルおよびネットワーク。
【００４２】
セルラまたは他の情報の喪失とアクセスポイントへの接続との間の時間は、情
報の精度が欠けている可能性をさらに識別する手段である；
４．  ＡＰのタイプの表示
ａ．小さい、簡単に移動される可能性あり
ｂ．場所に固定（少なくとも最初は）
ｃ．船、飛行機、または列車の中のような、モバイル−乗り物の一部となって
いるデバイスのときには、特定のタイプの国コードがあり得る；
５．  ＡＰの接続性が変わったか否か
６．  ＡＰまたはマイクロセルを有する船、飛行機、または車の位置（ＧＰＳまたは
他、マニュアルでのエントリーも）。
【００４３】
ロケーション情報は、１つの要素（例えば、ＵＥデバイス）によって開発され得、別の要素（ＡＰ、またはマイクロセルもしくはベースステーションのコントローラもしくはＧＡＮＣ）の中、またはＰＬＭＮもしくはオペレータ内の「ユニバーサル」データベースの中にさえも格納され得る、ということが、当業者によって認識されるべきである。さらに、ＡＰの位置および他の（競合する場合でさえ）ネットワークの要素とＡＰとの関係は、多くの目的のために有用であるということが認識されるべきであり、該目的としては、ハンドセット接続性のハンドオーバー（または類似の）移行におけるアシストなどがあり、３ＧＰＰ仕様書に規定されるような「ロービング」を含み得る。例示の目的で、ロケーションおよび識別情報の例示的な使用は、以下のものを含む。
−  オペレータおよび／またはＰＬＭＮ、あるいは規定されたネットワークの識別
−  オペレータまたはＰＬＭＮ、あるいは規定されたネットワークの関係の識
別
−  位置の識別
ａ．  Ｅ９１１および公共安全目的のため
ｂ．  ＰＳＡＰ（パブリックセーフティアンサーポイント）への情報のパスを含む
ｃ．  商業的目的のため
−  セルラネットワークまたは免許を受けていないネットワークの動作。
【００４４】
上述の簡単な分類は、他に、公共安全機関をアシストするために、緊急コール時にＰＳＡＰにパスされる情報および情報カテゴリがあり得る、ということを示唆する。この情報は、ＵＥデバイスに由来し得、マイクロセル（セルラ）またはＧＡＮ／ＷＬＡＮ  ＡＰのような現実のＡＰに由来し得る。特定のＵＥデバイスおよびユーザに適用可能である２つ以上のロケーション情報の要素があり得る。その情報は、同じＡＰまたはマイクロセル上の別のデバイスによって、または処理され組み合わされたデータのデータベース照合によって開発されたということがあり得る。それは、おそらくは数分、数十分、またはもっと前の近時のデータを含み得、現在の情報を欠いているとき、または近時のデータが不正確であるときには、それは、現在のデータに基づいて改善するように推定され得る。例えば、ＡＧＰＳ、ＣＧＩ、または他のロケーション情報は、ＵＥとタイムスタンプされたものとによって獲得され得る。受信契約者が、ＵＥを建物または車に持ち込んだときに、信号を欠くことになるので、ＵＥはもはやロケーション情報を提供し得ない。しかし、前の情報は有用であり得、ＷＬＡＮ／ＧＡＮ  ＡＰ、マイクロセル、およびＰＬＭＮ内のデータベースに転送され得、ＡＰと関連付けられる。
【００４５】
例えば、ユーザ（すなわち、ＵＥ）の位置を識別するために、サービスを許可または許可しないために、ユーザを別のＡＰ、マイクロセス、ネットワークもしくはＧＡＮＣ、または受け入れ可能な利用、接続性を規定する他の手段およびＥ９１１／ＰＳＡＰの動作にリディレクトするために、ＰＬＭＮまたは他のネットワークのプロバイダまたはマネージャは、ネットワークの動作においてこの情報を活用し得る。さらに、接続性が狭く規定されていた場合には、セルからセルへ、およびロケーションエリア間でのハンドオーバーのための接続性情報の使用がある。セルラのネットワークおよびサービスならびに別途の非セルラサービスにアクセスするための代替の（非セルラ）ネットワークの利用について、非常に多様な他の直接的および間接的な情報が、利用可能であるにもかかわらず、規定されたセルラ位置情報の一部は、利用可能でないことがあり得る。本特許開示との関連の中で、ネットワークの動作およびサービスの条件（および制限）全体を著しく向上させるために、この多様な情報が使用され得る。
【００４６】
ここで図１１を参照すると、一実施形態に従った、例えばＧＡＮＣ／ＵＮＣノード１１００のような例示的なＡＮサーバノード１１００の機能ブロック図がそこに示される。ＡＮサーバノード１１００が、上で説明された図５Ａおよび図５Ｂにおいて示される構成のいずれにおいても提供され得るということを、当業者は理解すべきである。それとは関係なく、ＡＮサーバノード１１００は、適切なネットワーク選択ロジック１１０２を含み、該ロジックは、集められたネットワーク情報およびＵＥデバイスによって提供されるサービス／特徴要求情報を解決することについて、１つ以上の上述の手順を実行するように動作可能である。従って、一実施形態においては、サービス／特徴の要求１１０４および集められたネットワーク情報１１０６を格納するために、適切な格納エリアが提供され得る。例えば、ＤＢ１１１０−１からＤＢ１１１０−Ｎのようなローカルおよび／またはリモートのデータベースのデータベース照会および質問を容易とするために、データベースクエリロジック１１０８が提供される。
【００４７】
図１２は、本特許開示の教示に従った、述べられたネットワークの発見／選択の手順を実行するように動作可能なＵＥデバイスの、実施形態のブロック図を示す。これを参照すると、ＵＥ１０２の実施形態は、図１２に示されるものと似たアレンジメントを備え得るが、示された様々なモジュールについて、ハードウェア、ソフトウェア、またはファームウェアにおける多数のバリエーションおよび変更があり得るということが、当業者によって認識される。従って、図１２のアレンジメントは、本特許開示の実施形態について限定するものではなく、例示として解釈されるべきである。ＵＥ１０２の実施形態の全体的制御を提供するマイクロプロセッサ１２０２は、通信サブシステム１２０４に結合されて動作可能であり、該通信サブシステムは、複数の帯域にわたるマルチモード通信を達成するための、送信機／受信機（トランシーバ）の機能を含む。例の目的で、ワイドエリア無線Ｔｘ／Ｒｘモジュール１２０６、ＧＡＮ  Ｔｘ／Ｒｘモジュール１２０８、およびＩ−ＷＬＡＮ  Ｔｘ／Ｒｘモジュール１２１０が、示されている。特には示されていないが、各Ｔｘ／Ｒｘモジュールは、１つ以上のローカル発振器（ＬＯ）モジュール、ＲＦスイッチ、ＲＦ帯域通過フィルタ、Ａ／ＤおよびＤ／Ａ変換機、デジタル信号プロセッサ（ＤＳＰ）のようなプロセシングモジュール、ローカリメモリなどのような、他の関連した構成要素を含み得る。通信分野の当業者にとって明らかなように、通信サブシステム１２０４の特定の設計は、ＵＥデバイスが動作しようとする通信ネットワークに依存し得る。一実施形態においては、通信システム１２０４は、音声通信とデータ通信との両方で動作可能である。
【００４８】
マイクロプロセッサ１２０２は、補助入力／出力（Ｉ／Ｏ）１２１８、シリアルポート１２２０、ディスプレイ１２２２、キーボード１２２４、スピーカ１２２６、マイクロフォン１２２８、ランダムアクセスメモリ（ＲＡＭ）１２３０、短距離通信サブシステム１２３２、および参照数字１２３３として一般表示される他のデバイスサブシステムのような、さらなるデバイスサブシステムともインターフェースする。アクセスを制御するために、ＳＩＭ／ＲＵＩＭインターフェース１２３４も、マイクロプロセッサ１２０２との通信において提供される。一インプリメンテーションにおいては、ＳＩＭ／ＲＵＩＭインターフェース１２３４は、多くの重要な構成１２４４を有するＳＩＭ／ＲＵＩＭカードと、識別および受信契約者関係のデータ、および上で言及された１つ以上のＳＳＩＤ／ＰＬＭＮのリストおよびフィルタのような他の情報１２４６とを用いて動作可能である。
【００４９】
オペレーティングシステムソフトウェアおよび他のコントロールソフトウェアは、フラッシュメモリ１２３５のような固定記憶モジュール（すなわち、不揮発性ストレージ）において具体化される。一インプリメンテーションにおいては、フラッシュメモリ１２３５は、例えば、コンピュータプログラム１２３６のための格納エリア、およびデバイスステータス１２３７、アドレスブック１２３９、他のパーソナル情報マネージャ（ＰＩＭ）データ１２４１、および参照数字１２４３として一般表示される他のデータ格納エリアのようなデータ格納領域のような異なるエリアの中に分離され得る。さらに、適切なネットワーク発見／選択ロジック１２４０は、様々な手順、相関手法、サービス／特徴の要求選択および識別プロセス、ならびに前のセクションで述べられたＧＡＮＣ選択メカニズムを実行するために、固定記憶域の一部として提供され得る。ＳＳＩＤ／ＰＬＭＮリスト、選択／走査フィルタ、能力インジケータなどを格納する格納モジュール１２３８が、前に言及されたように、それと関連付けられる。
【００５０】
前記に基づき、ＵＥデバイスのロジックおよびハードウェアが、少なくとも以下のものを含むということは明らかであって、ＵＥデバイスを動作させることに関する一式の適切なサービス要求の識別を容易にするためのロジックモジュール、少なくとも１つの帯域で走査することを介してネットワーク情報を集めるため、および少なくとも１つのネットワーク情報およびサービス要求をネットワークノードに送信するための通信サブシステム、ならびに、ＵＥデバイスについて識別された複数のワイドエリアセルラネットワークで動作可能な適切なＧＡＮＣのリストを決定するための、ネットワークノードによって提供される一式のＧＡＮＣ、ネットワーク情報との解決に基づいて決定されるＧＡＮＣのリスト、およびネットワークノードによるサービス要求から、ＧＡＮＣを選択するためのロジックモジュールを含み、ＧＡＮＣのリストは、ＵＥデバイスによる選択に対する応答メッセージを介してＵＥデバイスに送信される。
【００５１】
本特許開示の実施形態の動作および構成が、上述の詳細な説明から明らかであるということが確信される。示され説明された例示的な実施形態は、好適なものとして特徴付けられ得る一方で、様々な変化および変更が、特許請求の範囲で述べられる本発明の範囲から逸脱することなく、その中でなされ得るということが容易に理解される。
【図面の簡単な説明】
【００５２】
【図１】図１は、一般化されたネットワーク環境を示し、本特許開示の実施形態が実践され得る。
【図２】図２は、ネットワーク環境の例示的な実施形態を示し、ユーザ設備（ＵＥ）は、本特許開示の教示に従ったネットワークの発見、選択およびリディレクションのために配置され動作可能である。
【図３】図３は、ネットワークシステムの機能ブロック図を示し、パブリックランドモバイルネットワーク（ＰＬＭＮ）のようなワイドエリアセルラネットワーク（ＷＡＣＮ）は、ジェネリックアクセスネットワーク（ＧＡＮ）および関連したコントローラ（ＧＡＮＣ）を介しアクセス可能である。
【図４Ａ】図４Ａは、図３において示されるネットワークシステムで動作可能なサーキットスイッチ（ＣＳ）プロトコルスタックの例示的な実施形態を示す。
【図４Ｂ】図４Ｂは、図３において示されるネットワークシステムで動作可能なパケットスイッチ（ＰＳ）プロトコルスタックの例示的な実施形態を示す。
【図５Ａ】図５Ａは、一実施形態に従った、アクセスネットワーク（ＧＡＮまたは無線ＬＡＮ）が複数のＰＬＭＮに接続し動作可能なネットワークアレンジメントを示し、各ＰＬＭＮは、対応するＧＡＮＣによってサービスされる。
【図５Ｂ】図５Ｂは、一実施形態に従った、アクセスネットワーク（ＧＡＮまたは無線ＬＡＮ）が複数のＰＬＭＮに接続し動作可能なネットワークアレンジメントを示し、１つのＧＡＮＣ上の複数のバーチャルＧＡＮＣ区画が、対応するＰＬＭＮをサービスするように動作可能である。
【図６】図６は、一実施形態に従った一般化されたネットワークの発見および選択のスキームのフローチャートである。
【図７Ａ】図７Ａは、本開示の目的のための一実施形態に従った、ネットワーク情報を集める方法のフローチャートである。
【図７Ｂ】図７Ｂは、一実施形態に従ったＧＡＮＣの発見および登録の方法のフローチャートである。
【図８Ａ】図８Ａは、一実施形態に従った一般化されたＧＡＮＣの選択およびリディレクションのスキームと関連したフローチャートである。
【図８Ｂ】図８Ｂは、一実施形態に従った一般化されたＧＡＮＣの選択およびリディレクションのスキームと関連したフローチャートである。
【図９】図９は、さらに別の構成に従ったＧＡＮＣの選択およびリディレクションのスキームのフローチャートである。
【図１０】図１０は、例示的なデータベース構造を示し、ＧＡＮＣ情報は、一実施形態に従って、ネットワーク情報およびＵＥデバイスからのサービス要求を解決することに基づき、ＵＥデバイスに対してサービスするノードによって提供される。
【図１１】図１１は、一実施形態に従った例示的なＧＡＮＣ／ＵＮＣノードの機能ブロック図を示す。
【図１２】図１２は、本特許開示の教示に従った、述べられたネットワーク発見／選択手順を実行するように動作可能なＵＥデバイスの一実施形態のブロック図である。
【図１】
2008522460.tif 000003
【図２】
2008522460.tif 000004
【図３】
2008522460.tif 000005
【図４Ａ】
2008522460.tif 000006
【図４Ｂ】
2008522460.tif 000007
【図５Ａ】
2008522460.tif 000008
【図５Ｂ】
2008522460.tif 000009
【図６】
2008522460.tif 000010
【図７Ａ】
2008522460.tif 000011
【図７Ｂ】
2008522460.tif 000012
【図８Ａ】
2008522460.tif 000013
【図８Ｂ】
2008522460.tif 000014
【図９】
2008522460.tif 000015
【図１０】
2008522460.tif 000016
【図１１】
2008522460.tif 000017
【図１２】
2008522460.tif 000018
【国際調査報告】
2008522460.tif 000019
2008522460.tif 000020